(57)【要約】      （修正有）【課題】送風機などの空調装置を設けた、安全チョッキなどの作業用の空調衣服を提供する。【解決手段】本考案の空調衣服は、上半身を覆う衣服本体１と、該衣服本体に設けた、衣服本体の外部から内部に空気を導入する空調手段と、衣服本体の首回り部の内側に設けた、首回り部内側の周方向に所望の距離離間した一方の箇所と他方の箇所間を連結する紐状部材６とよりなり、紐状部材は、首回り部の一方の箇所から他方の箇所までの長さよりも短く形成される。【選択図】図１
0003222453.tif 000002
【実用新案登録請求の範囲】
【請求項１】
上半身を覆う衣服本体と、
該衣服本体に設けた、上記衣服本体の外部から内部に空気を導入する空調手段と、
上記衣服本体の首回り部の内側に設けた、上記首回り部内側の周方向に所望の距離離間した一方の箇所と他方の箇所間を連結する紐状部材とよりなり、
上記紐状部材は、上記首回り部の一方の箇所から他方の箇所までの長さよりも短く形成されることを特徴とする空調衣服。
【請求項２】
上記紐状部材の長さは、上記首回り部の一方の箇所から他方の箇所までの長さの９５％〜７０％の長さであることを特徴とする請求項１に記載の空調衣服。
【請求項３】
上記紐状部材は、上記首回り部の内側に、着脱自在に設けられたことを特徴とする請求項１または２に記載の空調衣服。
【請求項４】
上記一方及び他方の箇所にそれぞれボタンが設けられ、
上記紐状部材の両端に、それぞれ上記ボタンが挿入して固定される切込部を有することを特徴とする請求項３に記載の空調衣服。
【請求項５】
上記衣服本体は、袖なしであることを特徴とする請求項１乃至４のいずれか１に記載の空調衣服。
【請求項６】
上記衣服本体の下部の径が、上部の径よりも小さくする縮小手段を設けたことを特徴とする請求項１乃至５のいずれか１に記載の空調衣服。
【考案の詳細な説明】
【技術分野】
【０００１】
本考案は、送風機などの空調装置を設けた、安全チョッキなどの作業用の衣服に関するものである。
【背景技術】
【０００２】
従来、電車線の作業などにおいて、熱中症防止等のため、作業服に送風機を設け、該送風機により、外部からの空気を衣服内に導入し、作業員を冷却するような衣服がある（特許文献１）。
【先行技術文献】
【特許文献】
【０００３】
【特許文献１】実開昭６４−３０３０８号公開公報
【考案の概要】
【考案が解決しようとする課題】
【０００４】
しかしながら、例えば、猛暑の連続する穴掘り作業等では、上記従来の送風機付き衣服では、十分に熱中症等を防止できない危険性があった。
【０００５】
本考案は、上記の欠点を除くようにしたものである。
【課題を解決するための手段】
【０００６】
本考案の空調衣服は、上半身を覆う衣服本体と、該衣服本体に設けた、上記衣服本体の外部から内部に空気を導入する空調手段と、上記衣服本体の首回り部の内側に設けた、上記首回り部内側の周方向に所望の距離離間した一方の箇所と他方の箇所間を連結する紐状部材とよりなり、上記紐状部材は、上記首回り部の一方の箇所から他方の箇所までの長さよりも短く形成されることを特徴とする。
【０００７】
また、上記紐状部材の長さは、上記首回り部の一方の箇所から他方の箇所までの長さの９５％〜７０％の長さであることを特徴とする。
【０００８】
また、上記紐状部材は、上記首回り部の内側に、着脱自在に設けられたことを特徴とする。
【０００９】
また、上記一方及び他方の箇所にそれぞれボタンが設けられ、上記紐状部材の両端に、それぞれ上記ボタンが挿入して固定される切込部を有することを特徴とする。
【００１０】
また、上記衣服本体は、袖なしであることを特徴とする。
【００１１】
また、上記衣服本体の下部の径が、上部の径よりも小さくする縮小手段を設けたことを特徴とする。
【考案の効果】
【００１２】
本考案の空調衣服によれば、空調装置により衣服の外部から内部に導入した空気を、効率的に衣服外部に出すことができるので、作業員の冷却性を高め、熱中症等を防止できるようになる。
【図面の簡単な説明】
【００１３】
【図１】本考案の空調衣服の紐状部材を衣服本体から取り外した状態の説明用正面図である。
【図２】本考案の空調衣服の紐状部材の一方の端部を衣服本体から取り外した状態の説明用正面図である。
【図３】本考案の空調衣服の紐状部材を衣服本体に取り付けた状態の説明用正面図である。
【図４】本考案の空調衣服の説明用背面図である。
【図５】本考案の空調衣服の首回り部の説明図である。
【考案を実施するための形態】
【００１４】
以下図面によって本考案の実施例を説明する。
【実施例１】
【００１５】
本考案の空調衣服は、図１〜図５に示すように、作業員の上半身を覆う、例えば、袖なしの安全チョッキなどの衣服本体１と、該衣服本体１の後身頃２の下部に、内外を貫通して設けた、１または複数の開口部３と、該開口部３に縫い付け等により固定して設けた、上記衣服本体１の外部から内部に空気を導入する送風機などの空調装置（空調手段）４と、上記衣服本体１の襟部などの首回り部５の内側に、例えば、着脱自在に設けた、上記首回り部５の内側の周方向（左右方向）に所望の距離離間した一方の箇所と他方の箇所間を連結する紐や帯等の紐状部材６とよりなり、該紐状部材６は、前記首回り部５の一方の箇所から他方の箇所までの長さよりも短く形成される。
【００１６】
なお、上記首回り部５の一方の箇所から他方の箇所までの長さと、上記紐状部材の長さは、特に制限はないが、例えば、図１に示すように、上記首回り部５の上記一方の箇所から他方の箇所までの長さａは、例えば、２００ｍｍ〜１００ｍｍ、好ましくは、１５０ｍｍ〜１２０ｍｍ、より好ましくは、１３０ｍｍである。
【００１７】
また、上記紐状部材６の長さｂは、上記一方の箇所から他方の箇所までの長さａに対して、例えば、９５％〜７０％の長さ、好ましくは、９０％から８０％、より好ましくは、１１０ｍｍである。
【００１８】
上記一方及び他方の箇所と、上記紐状部材６の一端及び他端との着脱自在な連結は、例えば、上記一方及び他方の箇所にそれぞれボタン７ａ、７ｂを設けると共に、上記紐状部材６の両端部に、それぞれ上記ボタン７ａ、７ｂが挿入されて固定される切込部６ａ、６ｂを形成する。
【００１９】
なお、上記ボタンと上記切込部との連結以外に、その他の方法により、上記一方及び他方の箇所と、上記紐状部材６の両端をそれぞれ着脱自在に固定できるようにしてもよい。
【００２０】
また、例えば、上記首回り部５の一方の箇所と上記紐状部材６の一端部とを着脱できないように縫込み等により、固定するようにしてもよい。
【００２１】
また、上記首回り部５の一方及び他方の箇所と、上記紐状部材６の両端をそれぞれ着脱できないように、縫込み等により、固定するようにしてもよい。
【００２２】
また、上記衣服本体１の前身頃８は、例えば、左前身頃８ａと右前身頃８ｂが、前側で左右に開くように、中央で分離し、線ファスナー等の連結手段９により連結するようにしてもよく、また、左前身頃８ａと右前身頃８ｂとが初めから連結された衣服本体１であってもよい。
【００２３】
また、上記衣服本体１の下部周囲には、上記衣服本体１の上部に比べて下部の径を縮小させたゴムバンド等の縮小手段１０を設け、作業員が上記衣服本体１を着た場合に、該縮小手段１０により、作業員の腰部を締め付けて、外から中に導入された空気が、該下端開口部１ａから逃げないようにして、上記衣服本体１の首部の開口（首回り部の開口）と脇の開口（アームホール）から空気が効率的に抜けるようにする。
【００２４】
なお、図１に示すように、衣服本体１を着ていない状態（前身頃と後身頃が接触した状態）において、例えば、該衣服本体１の上部の横方向の長さＡが４９０ｍｍの場合、下部の横方向の長さＢは、例えば、４５０ｍｍであり、また、上部の横方向の長さＡが５１０ｍｍの場合、下部の横方向の長さＢは、例えば、４９０ｍｍである。
【００２５】
また、上記空調装置４は、腰道具に支障がないように、上記衣服本体１の下端開口部１ａから、例えば、５ｃｍ以上、上の部分に設けるのが好ましい。
【００２６】
なお、１３は、上記衣服本体１に、縫い付け等により固定して設けた、安全のための反射テープなどの反射材や、発光テープ等の発光材等を示す。
【００２７】
本考案の空調衣服によれば、上記衣服本体１に上記紐状部材６を取り付け、作業員が上記空調衣服を着ることにより、上記首回り部５が上記紐状部材６により外側に湾曲して空間部１１が形成され、そして、上記空調装置４を作動させることにより、上記衣服本体１の外部の空気が内部に導入され、そして、上記空間部１１から、上記空調装置４により中に導入された空気が効率的に、脱け出るようになり、この際、首回りの気化熱により、作業員が冷却され、熱中症等を防止できるようになる。
【００２８】
また、上記縮小手段１０により、上記空調装置４により中に導入された空気は、上記衣服本体１の下端開口部１ａから逃げず、効率的に、上記空間部１１及び上記衣服本体１のアームホール部の開口部１２から抜け出て、首回り及び脇の気化熱により、作業員が冷却され、熱中症等を防止できるようになる。
【００２９】
なお、アームホール部の開口部１２の大きさは特に限定はないが、図１に示すように、衣服本体１を着ていない状態（前身頃と後身頃が接触した状態）において、例えば、該衣服本体１の上下の長さＣが６０２ｍｍの場合、アームホール部の開口の上下の長さＤは、例えば、２５３ｍｍであり、また、衣服本体１の上下の長さＣが６３７ｍｍの場合、アームホール部の開口部の上下の長さＤは、例えば、２８７ｍｍである。
【００３０】
また、上記紐状部材６を上記衣服本体１から着脱自在に設けることにより、汚れ等で、交換できたり、洗えたりできるようになる。
【符号の説明】
【００３１】
１      衣服本体
１ａ    下端開口部
２      後身頃
３      開口部
４      空調装置
５      首回り部
６      紐状部材
６ａ    切込部
６ｂ    切込部
７ａ    ボタン
７ｂ    ボタン
８      前身頃
９      連結手段
１０    縮小手段
１１    空間部
１２    開口部
１３    反射材等
【図１】
0003222453.tif 000003
【図２】
0003222453.tif 000004
【図３】
0003222453.tif 000005
【図４】
0003222453.tif 000006
【図５】
0003222453.tif 000007